(57)【要約】【課題】内部に収納された被収納物を取り出した後で廃棄を行う場合に、小さく折り畳んで折り畳み状態を保持することができ、廃棄を簡単に行うことができる箱体を提供する。【解決手段】箱体の天側フラップ部３ｃの縁に２本の破断線３１、３２を並設し、ユーザが破断線３１、３２で天側フラップ部３ｃを切り込むことで切り込み片３０を形成できるようにしておく。側板部２ａにはスリット３６を形成する。また、側板部２ｂ及び２ｄには、折り曲げ線２５、２６及び２７、２８を形成する。底側フラップ部４ａ、４ｂ、４ｃ、４ｄを閉じた状態で、天側フラップ部３ａ、３ｂ、３ｄを本体部１内に折り曲げ、側板部２ｂ、２ｄを折り曲げ線２５、２６、２７、２８で折り曲げて本体部１の内側へ倒す。これにより箱体を折り畳むことができ、切り込み片３０をスリット３６に挿入して折り畳み状態を保持する。【選択図】図２
2007118958.tif 000002
【特許請求の範囲】
【請求項１】
４つの側板部に囲まれた四角筒状の本体部と、該本体部の一の開口端側で各側板部から延設された天側フラップ部と、前記本体部の他の開口端側で各側板部から延設された地側フラップ部とを備え、両側のフラップ部を前記本体部の内側方向へ折り曲げて前記本体部の両端の開口をそれぞれ覆うようにしてある箱体において、
対向する一組の側板部それぞれに、地側辺部の両端から天側辺部へ斜めに折り曲げ線が形成してあり、
対向する他組の側板部の一方の側板部から延設される一の天側フラップ部の延設端側の縁部に係止部が形成してあり、
前記他組の側板部の他方の側板部から延設される他の天側フラップ部を、前記側板部に重なるように前記本体部内に折り曲げ、前記一組の側板部に延設された天側フラップ部を前記側板部に重なるように折り曲げた状態で、前記一組の側板部を前記折り曲げ線で折り曲げて前記本体部の内側へ倒すことにより内側へ倒れる前記他組の側板部の前記他方の側板部に、前記係止部が係止される被係止部が形成してあること
を特徴とする箱体。
【請求項２】
前記被係止部は、前記側板部に形成されたスリットである請求項１に記載の箱体。
【請求項３】
前記係止部は、前記天側フラップ部の縁部分から中央側へ設けられた２つの切り込みにより形成される切り込み片である請求項１又は請求項２に記載の箱体。
【請求項４】
前記係止部は、前記天側フラップ部の縁部分に延設される舌片である請求項１又は請求項２に記載の箱体。
【請求項５】
４つの側板部に囲まれた四角筒状の本体部と、該本体部の一の開口端側で各側板部から延設された天側フラップ部と、前記本体部の他の開口端側で各側板部から延設された地側フラップ部とを備え、両側のフラップ部を前記本体部の内側方向へ折り曲げて前記本体部の両端の開口をそれぞれ覆うようにしてある箱体において、
対向する一組の側板部それぞれに、地側辺部の両端から天側辺部へ斜めに折り曲げ線が形成してあり、
前記一組の側板部から延設された天側フラップ部及び他組の側板部の一方の側板部から延設された天側フラップ部を、側板部に重なるように前記本体部内に折り曲げた状態で、前記一組の側板部を前記折り曲げ線で折り曲げて前記本体部の内側へ倒すことにより内側へ倒れる前記他組の側板部の他方の側板部に延設された天側フラップ部に、前記折り曲げ線で折り曲げられて重なり合う側板部の間に挿入可能な舌片が延設してあること
を特徴とする箱体。
【請求項６】
前記一組の側板部に設けられた天側フラップ部は、前記側板部に重なるように折り曲げた場合に前記側板部の前記折り曲げ線に相当する位置に、折り曲げ線又は複数の穴が設けてある請求項１乃至請求項５のいずれか１つに記載の箱体。
【請求項７】
前記一組の側板部に設けられた天側フラップ部は、前記側板部に重なるように折り曲げた場合に前記側板部の前記折り曲げ線の間に相当する部分を切り取ってある請求項１乃至請求項５のいずれか１つに記載の箱体。
【発明の詳細な説明】
【技術分野】
【０００１】
本発明は、電化製品、書籍又は食品等の被収納物を収納する箱体に関し、詳しくは、廃棄を行いやすいように折り畳むことができる箱体に関する。
【背景技術】
【０００２】
従来から、電化製品を購入した場合、電化製品は例えばダンボール製の箱体に収納された状態で購入したユーザに渡される。これは、ユーザが購入した電化製品を自宅へ持ち帰る場合、又は電化製品を自宅へ郵送する場合等に、電化製品を外部の衝撃から保護すると共に、持ち運びを容易にすることを目的としている。
【０００３】
ユーザは、箱体から電化製品を取り出した後、箱体を廃棄する必要がある。箱体の廃棄を行う場合、箱体を切る又は破る等していくつかの小片に分割し、別の袋に入れた状態、又は箱体を無理やり小さく折り畳み、封止テープ又は紐等を用いて折り畳み状態を保持した状態とした後で廃棄を行っている。しかし、箱体を小片に分割する又は小さく折り畳むことは困難で非常に手間のかかる作業であり、箱体が大きくなるほど廃棄の手間が増大するという問題がある。
【０００４】
特許文献１においては、二組の対向側板と、対向側板の下端に連設された底板形成用フラップと、対向側板の上端に形成された上蓋形成用フラップとを備え、一組の対向側板並びにこれに連設された底板形成用フラップ及び上蓋形成用フラップの中央部で１本の連続する折り曲げ線を形成したダンボール製の包装箱が提案されている。この包装箱を折り畳む場合、他組の一方の対向側板に連設された底板形成用フラップ及び上蓋形成用フラップを、連設する対向側板の内面に重なるように折り曲げ、一組の対向側板に連設された底板形成用フラップ及び上蓋形成用フラップを、連設する対向側板の内面又は外面に重なるように折り曲げ、折り曲げ線が形成された対抗側板、底板形成用フラップ及び上蓋形成用フラップを、折り曲げ線で内側に折り曲げ、他組の他方の対向側板に連設された底板形成用フラップ及び上蓋形成用フラップを、他組の一方の対向側板の内側に差し込んで折り畳む。これにより、包装箱を小さく折り畳むことができ、また、折り畳んだ状態を封止テープ又は紐等を用いずに保持することができる。
【０００５】
また、特許文献２においては、上述の特許文献１に記載の包装箱と同様の構成に加えて、対向側板に包装箱の折り畳み方法示す説明部を設け、折り曲げ線の形成された底板形成用フラップに折り曲げ箇所を明示する指標部を設けた包装箱およびその折り畳み方法が提案されている。
【特許文献１】特開２００４−２３１１９２号公報
【特許文献２】特開２００５−２９１７６号公報
【発明の開示】
【発明が解決しようとする課題】
【０００６】
しかしながら、特許文献１及び特許文献２に記載の包装箱は、対向側板の上下端に連設されたフラップで形成される底板及び上蓋を、フラップの状態に戻した後に折り畳みを行わなければならない。包装箱では、フラップで底板及び上蓋を形成する場合には、封止テープ、接着剤又は固定金具等を用いてフラップを固定することで、底板及び上蓋を形成する。包装箱内の被収納物を取り出す場合、上蓋は封止テープ、接着剤又は固定金具等による固定を外す必要があるため、上蓋は常に固定が外されるが、底板の固定を外す必要はないため、包装箱を折り畳む場合に底板の固定を外さなければならず、手間がかかる。また、上蓋はユーザが開封することを考慮して、簡単に封止テープ、接着剤又は固定金具等による固定を外すことができるようにしてある場合が多いが、底板は強度を高めるために強固に固定され、ユーザが固定を外すことが難しい場合がある。
【０００７】
本発明は、斯かる事情に鑑みてなされたものであって、その目的とするところは、対向する一組の側板部に折り曲げ線をそれぞれ形成し、他組の側板部の一方の側板部に延設された天側フラップ部に係止部を形成し、他方の側板部に被係止部を形成する構成とすることにより、地側フラップ部を閉じて固定した状態のまま折り畳むことができ、折り畳みを係止部及び被係止部で保持できる箱体を提供することにある。
【０００８】
また本発明の他の目的とするところは、側板部にスリットを形成して被係止部とする構成とすることにより、簡単に被係止部を実現できる箱体を提供することにある。
【０００９】
また本発明の他の目的とするところは、天側フラップ部に２つの切り込みを設け、２つの切り込みの間に形成される切り込み片を係止部とする構成とすることにより、簡単に係止部を実現でき、ユーザが簡単に係止部及び被係止部による折り畳みの保持を行うことができる箱体を提供することにある。
【００１０】
また本発明の他の目的とするところは、天側フラップ部に舌片を延設し、舌片を係止部とする構成とすることにより、簡単に係止部を実現でき、ユーザが簡単に係止部及び被係止部による折り畳みの保持を行うことができる箱体を提供することにある。
【００１１】
また本発明の他の目的とするところは、対抗する一組の側板部に折り曲げ線をそれぞれ形成し、他組の側板部の天側フラップ部に舌片を形成し、折り曲げ線で折り曲げた側板部の間に舌片を挟む構成とすることにより、地側フラップ部を閉じて固定した状態のまま折り畳むことができ、舌片によって折り畳みを保持できる箱体を提供することにある。
【００１２】
また本発明の他の目的とするところは、折り曲げ線が形成された側板部と重なる天側フラップ部の折り曲げ線に相当する位置に、折り曲げ線又は複数の穴を設ける構成とすることにより、折り曲げ線に従って側板部及び天側フラップ部を簡単に折り曲げることができる箱体を提供することにある。
【００１３】
また本発明の他の目的とするところは、折り曲げ線が形成された側板部と重なる天側フラップ部の、折り曲げ線の間に相当する部分を切り取っておく構成とすることにより、折り曲げ線に従って側板部を簡単に折り曲げることができる箱体を提供することにある。
【課題を解決するための手段】
【００１４】
本発明に係る箱体は、４つの側板部に囲まれた四角筒状の本体部と、該本体部の一の開口端側で各側板部から延設された天側フラップ部と、前記本体部の他の開口端側で各側板部から延設された地側フラップ部とを備え、両側のフラップ部を前記本体部の内側方向へ折り曲げて前記本体部の両端の開口をそれぞれ覆うようにしてある箱体において、対向する一組の側板部それぞれに、地側辺部の両端から天側辺部へ斜めに折り曲げ線が形成してあり、対向する他組の側板部の一方の側板部から延設される一の天側フラップ部の延設端側の縁部に係止部が形成してあり、前記他組の側板部の他方の側板部から延設される他の天側フラップ部を、前記側板部に重なるように前記本体部内に折り曲げ、前記一組の側板部に延設された天側フラップ部を前記側板部に重なるように折り曲げた状態で、前記一組の側板部を前記折り曲げ線で折り曲げて前記本体部の内側へ倒すことにより内側へ倒れる前記他組の側板部の前記他方の側板部に、前記係止部が係止される被係止部が形成してあることを特徴とする。
【００１５】
本発明においては、対抗する一組の側板部に、地側の辺の両端から天側の辺へ向けて斜めに折り曲げ線を形成する。折り曲げ線に従って側板部を折り曲げて、側板部を本体部の内側へ倒すことで、地側フラップ部を閉じて固定した状態のまま箱体を折り畳むことができる。また、他組の側板部の一方の側板部に延設された天側フラップ部に係止部を形成し、他方の側板部に被係止部を形成して、箱体を折り畳んだ後、係止部及び被係止部により箱体の折り畳み状態を保持する。
【００１６】
また、本発明に係る箱体は、前記被係止部が、前記側板部に形成されたスリットであることを特徴とする。
【００１７】
本発明においては、側板部にスリットを形成し、スリットを被係止部とする。側板部に被係止部を設けるために複雑な加工が必要とされない。
【００１８】
また、本発明に係る箱体は、前記係止部が、前記天側フラップ部の縁部分から中央側へ設けられた２つの切り込みにより形成される切り込み片であることを特徴とする。
【００１９】
本発明においては、天側フラップ部に２つの切り込みを設けることで切り込み片を形成する。ユーザは、箱体を折り畳んだ後に切り込み片をスリットに挿入する。切り込み片及びスリットにより箱体の折り畳み状態が保持される。
【００２０】
また、本発明に係る箱体は、前記係止部が、前記天側フラップ部の縁部分に延設される舌片であることを特徴とする。
【００２１】
本発明においては、天側フラップ部の縁に舌片を延設する。ユーザは、箱体を折り畳んだ後に舌片をスリットに挿入する。舌片及びスリットにより箱体の折り畳み状態が保持される。
【００２２】
また、本発明に係る箱体は、４つの側板部に囲まれた四角筒状の本体部と、該本体部の一の開口端側で各側板部から延設された天側フラップ部と、前記本体部の他の開口端側で各側板部から延設された地側フラップ部とを備え、両側のフラップ部を前記本体部の内側方向へ折り曲げて前記本体部の両端の開口をそれぞれ覆うようにしてある箱体において、対向する一組の側板部それぞれに、地側辺部の両端から天側辺部へ斜めに折り曲げ線が形成してあり、前記一組の側板部から延設された天側フラップ部及び他組の側板部の一方の側板部から延設された天側フラップ部を、側板部に重なるように前記本体部内に折り曲げた状態で、前記一組の側板部を前記折り曲げ線で折り曲げて前記本体部の内側へ倒すことにより内側へ倒れる前記他組の側板部の他方の側板部に延設された天側フラップ部に、前記折り曲げ線で折り曲げられて重なり合う側板部の間に挿入可能な舌片が延設してあることを特徴とする。
【００２３】
本発明においては、対抗する一組の側板部に、地側の辺の両端から天側の辺へ向けて斜めに折り曲げ線を形成する。折り曲げ線に従って側板部を折り曲げて、側板部を本体部の内側へ倒すことで、地側フラップ部を閉じて固定した状態のまま箱体を折り畳むことができる。また、他組の側板部に延設された天側フラップ部の縁に舌片を形成し、箱体を折り畳んだ後に、折り曲げ線で折り曲げられて重なり合う側板部の間に舌片を挿入して、箱体の折り畳み状態を保持する。
【００２４】
また、本発明に係る箱体は、前記一組の側板部に設けられた天側フラップ部が、前記側板部に重なるように折り曲げた場合に前記側板部の前記折り曲げ線に相当する位置に、折り曲げ線又は複数の穴が設けてあることを特徴とする。
【００２５】
本発明においては、箱体を折り畳む場合に折り曲げ線が形成された側板部と重なる天側フラップ部の折り曲げ線に相当する位置に、折り曲げ線又は複数の穴を設ける。折り曲げ線に従って側板部を折り曲げて本体部の内側へ倒す場合、重なる天側フラップ部を折り曲げ線又は複数の穴に従って、天側フラップ部を側板部の折り曲げと共に簡単に折り曲げることができる。
【００２６】
また、本発明に係る箱体は、前記一組の側板部に設けられた天側フラップ部が、前記側板部に重なるように折り曲げた場合に前記側板部の前記折り曲げ線の間に相当する部分を切り取ってあることを特徴とする。
【００２７】
本発明においては、箱体を折り畳む場合に折り曲げ線が形成された側板部と重なる天側フラップ部の折り曲げ線の間に相当する部分を切り取っておく。折り曲げ線に従って側板部を折り曲げて本体部の内側へ倒す場合に、重なり合う天側フラップ部が折り曲げを阻害することがない。
【発明の効果】
【００２８】
本発明による場合は、対抗する一組の側板部に、地側の辺の両端から天側の辺へ向けて斜めに折り曲げ線を形成する構成とすることにより、折り曲げ線に従って側板部を折り曲げ、側板部を本体部の内側へ倒して、地側フラップ部を閉じた状態のまま箱体を折り畳むことができるため、地側フラップ部を固定する封止テープ、接着剤又は金具等を外す必要がなく、ユーザが箱体の折り畳みを簡単に行うことができる。また、他組の側板部の一方の側板部に延設された天側フラップ部に係止部を形成し、他方の側板部に被係止部を形成する構成とすることにより、折り畳んだ箱体の折り畳み状態を係止部及び被係止部で保持できるため、ユーザが折り畳んだ箱体の廃棄を行いやすくできる。
【００２９】
また、本発明による場合は、側板部にスリットを形成して被係止部とする構成とすることにより、簡単な加工で被係止部を実現できるため、被係止部を設けて折り畳み状態を保持する手段を箱体に備えることによる箱体のコスト増加を抑制することができる。
【００３０】
また、本発明による場合は、天側フラップ部に２つの切り込みを設け、２つの切り込みの間に形成される切り込み片をスリットに挿入して箱体の折り畳み状態を保持する構成とすることにより、構成が簡単であるためユーザが折り畳み状態の保持の方法を理解しやすく、簡単に折り畳み状態を保持することができる。また、折り畳みを保持する手段を箱体に備えることによる箱体のコスト増加を抑制することができる。
【００３１】
また、本発明による場合は、天側フラップ部の縁部分に舌片を延設し、舌片をスリットに挿入して箱体の折り畳み状態を保持する構成とすることにより、構成が簡単であるためユーザが折り畳み状態の保持の方法を理解しやすく、簡単に折り畳み状態を保持することができる。また、折り畳みを保持する手段を箱体に備えることによる箱体のコスト増加を抑制することができる。
【００３２】
また、本発明による場合は、対抗する一組の側板部に、地側の辺の両端から天側の辺へ向けて斜めに折り曲げ線を形成する構成とすることにより、折り曲げ線に従って側板部を折り曲げ、側板部を本体部の内側へ倒して、地側フラップ部を閉じた状態のまま箱体を折り畳むことができるため、地側フラップ部を固定する封止テープ、接着剤又は金具等を外す必要がなく、ユーザが箱体の折り畳みを簡単に行うことができる。また、他組の側板部の一方の側板部に延設された天側フラップ部に舌片を形成する構成とすることにより、折り曲げ線で折り曲げられて重なり合う側板部の間に舌片を挿入して、箱体の折り畳み状態を保持できるため、ユーザが折り畳んだ箱体の廃棄を行いやすくできる。
【００３３】
また、本発明による場合は、折り曲げ線が形成された側板部と重なる天側フラップ部の折り曲げ線に相当する位置に、折り曲げ線又は複数の穴を設ける構成とすることにより、箱体を折り畳む場合に、天側フラップ部を側板部と重ね、重なった天側フラップ部及び側板部を折り曲げ線に従って簡単に折り曲げることができるため、ユーザが箱体の折り畳みを行いやすくすることができる。
【００３４】
また、本発明による場合は、折り曲げ線が形成された側板部と重なる天側フラップ部の折り曲げ線の間に相当する部分を切り取っておく構成とすることにより、箱体を折り畳む場合に、天側フラップ部を側板部と重ね、天側フラップ部を折り曲げ線に従って簡単に折り曲げることができるため、ユーザが箱体の折り畳みを行いやすくすることができる。
【発明を実施するための最良の形態】
【００３５】
（実施の形態１）
以下、本発明をその実施の形態を示す図面に基づき具体的に説明する。図１は、本発明に係る箱体の構成を示す斜視図であり、（ａ）は箱体の蓋を閉じた状態を示し、（ｂ）は箱体の上蓋を開いた状態を示す。図示の箱体は略直方体をなすダンボール製の箱体である。図において１は四角筒状をなす本体部であり、４つの略長方形の側板部２ａ、２ｂ、２ｃ、２ｄにより構成される。なお、側板部２ａ及び２ｃが対向し、側板部２ｂ及び２ｄが対向する。また、側板部２ａ及び２ｃより側板部２ｂ及び２ｄは面積が小さい。
【００３６】
本体部１を構成する側板部２ａ、２ｂ、２ｃ、２ｄの一開口端側にはそれぞれ地側フラップ部４ａ、４ｂ、４ｃ、４ｄ（地側フラップ部４ｃは図２にて図示する）が延設され、他開口端側にはそれぞれ天側フラップ部３ａ、３ｂ、３ｃ、３ｄが延設されている。地側フラップ部４ｂ及び４ｄを本体部１の内側方向へ折り曲げ、次いで地側フラップ部４ａ及び４ｃを本体部１の内側方向へ折り曲げて本体部１の一側の開口を閉じ、対向する地側フラップ部４ａ及び４ｃの縁部分を封止テープ１２で固定することにより、地側フラップ部４ａ、４ｂ、４ｃ、４ｄを本体部１の一側の開口を封止する底蓋として利用することができる。同様に、一側の開口を封止して本体部１内に被収納物を収納した後、天側フラップ部３ｂ及び３ｄを本体部１の内側方向へ折り曲げ、次いで天側フラップ部３ａ及び３ｃを本体部１の内側方向へ折り曲げて本体部１の他側の開口を閉じ、対向する天側フラップ部３ａ及び３ｃの縁部分を封止テープ１１で固定することにより、天側フラップ部３ａ、３ｂ、３ｃ、３ｄを本体部１の他側の開口を封止する上蓋として利用することができる。
【００３７】
また、側板部２ｂには２つの折り曲げ線２５、２６が形成されており、側板部２ｄには２つの折り曲げ線２７、２８が形成されている。また、天側フラップ部３ｃには２つのミシン目状の破断線３１、３２及び２つの折り曲げ線３３、３４が形成されている。また、側板部２ａには略矩形のスリット３６が形成されている。これらの折り曲げ線２５、２６、２７、２８、破断線３１、３２及びスリット３６については後述する。
【００３８】
図２は、本発明の実施の形態１に係る箱体の構成を示す展開図である。箱体はダンボール板を切断して図２に示す形状に形成し、更に図２中の一点鎖線で示す折り曲げ線及び破線で示す破断線を形成したものである。この折り曲げ線に従ってダンボールを折り曲げ、一部を接着剤又は金具等を用いて接続することで、図１に示す箱体として利用することができる。
【００３９】
箱体を展開した場合、本体部１は略長方形であり、本体部１の短辺と略平行に形成された３つの折り曲げ線２１ａ、２１ｂ、２１ｃにより、側板部２ａ、２ｂ、２ｃ、２ｄをなす４つの面に分けられている。なお、折り曲げ線２１ａは側板部２ａ及び２ｂの境界をなし、折り曲げ線２１ｂは側板部２ｂ及び２ｃの境界をなし、折り曲げ線２１ｃは側板部２ｃ及び２ｄの境界をなす。また、側板部２ａ、２ｂ、２ｃ、２ｄは、折り曲げ線２１ａ、２１ｂ、２１ｃ側が短辺側の略長方形であり、側板部２ａ及び２ｃの長辺の長さは、側板部２ｂ及び２ｄの長辺の長さより長い。側板部２ｂ及び２ｄは、長辺の長さが短辺の長さの約２倍である。
【００４０】
本体部１の側板部２ｄ側の短辺には、略台形の接続片６が延設されており、側板部２ｄ及び接続片６の境界に折り曲げ線２１ｄが形成されている。折り曲げ線２１ｄは、折り曲げ線２１ａ、２１ｂ、２１ｃと略平行である。折り曲げ線２１ａ、２１ｂ、２１ｃ、２１ｄにて本体部１を同方向へ折り曲げ、接続片６を本体部１の側板部２ａ側の短辺部分に接着剤又は金具等を用いて接続することにより、本体部１が四角筒状をなす。
【００４１】
側板部２ａ、２ｂ、２ｃ、２ｄの両長辺には、それぞれ天側フラップ部３ａ、３ｂ、３ｃ、３ｄ及び地側フラップ部４ａ、４ｂ、４ｃ、４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。天側フラップ部３ａ、３ｂ、３ｃ、３ｄは、折り曲げ線２２ａ、２２ｂ、２２ｃ、２２ｄ側が長辺側の略長方形であり、地側フラップ部４ａ、４ｂ、４ｃ、４ｄは、折り曲げ線２３ａ、２３ｂ、２３ｃ、２３ｄ側が長辺側の略長方形である。また、天側フラップ部３ａ、３ｂ、３ｃ、３ｄ及び地側フラップ部４ａ、４ｂ、４ｃ、４ｄの短辺の長さは略等しく、小さい方の側板部２ｂ及び２ｄの長辺の長さの略半分程度である。
【００４２】
側板部２ｂには、地側フラップ部４ｂが延設された底側長辺（折り曲げ線２３ｂ）の両端から、天側フラップ部３ｂが延設された天側長辺（折り曲げ線２２ｂ）の略中央へ、折り曲げ線２５及び２６がそれぞれ形成されている。折り曲げ線２５、２６は、折り曲げ線２３ｂと約４５度の角度をなすように形成される。同様に、側板部２ｄには、地側フラップ部４ｄが延設された底側長辺（折り曲げ線２３ｄ）の両端から、天側フラップ部３ｄが延設された天側長辺（折り曲げ線２２ｄ）の略中央へ、折り曲げ線２７及び２８が、折り曲げ線２３ｄと約４５度の角度をなすように、それぞれ形成されている。
【００４３】
天側フラップ部３ｃには、長辺側の縁の略中央部分から天側フラップ部３ｃの中央へ向けて、短辺と略平行な２つの破断線３１及び３２が形成されている。破断線３１、３２の長さは天側フラップ部３ｃの短辺の長さの１／４〜１／３程度である。破断線３１、３２に従って天側フラップ部３ｃに切込みを入れることにより、天側フラップ部３ｃに切り込み片３０が形成されるようにしてある。また、破断線３１、３２の天側フラップ部３ｃの中央側の端部を結ぶように、折り曲げ線３４が形成されており、折り曲げ線３４と天側フラップ部の長辺側の縁部分との中間位置に、折り曲げ線３４と略平行な折り曲げ線３３が形成されている。
【００４４】
側板部２ａには、側板部２ａの長辺に平行な細長い略矩形のスリット３６が形成されている。スリット３６は、側板部２ａの天側フラップ部３ａが延設された天側長辺（折り曲げ線２２ａ）からの距離が、天側フラップ部３ｃの折り曲げ線３３及び折り曲げ線２２ｃの間の距離に略等しい。また、スリット３６の長さは、天側フラップ部３ｃに形成された２つの破断線３１、３２の間の距離より若干大きい程度にしてある。
【００４５】
図３乃至図５は、本発明の実施の形態１に係る箱体の折り畳み方法を示す斜視図であり、（ａ）から（ｆ）へ折り畳み方法を時系列で図示してある。箱体を例えば廃棄のために折り畳む場合、まず、箱体の上側を封止する封止テープ１１を外し、箱体内に収納された被収納物を全て取り出す（図３（ａ）参照）。次いで、３つの天側フラップ部３ａ、３ｂ、３ｄを、本体部１の内側へ、側板部２ａ、２ｂ、２ｄの内面にそれぞれ接触するように、折り曲げ線２２ａ、２２ｂ、２２ｄで折り曲げる（図３（ｂ）参照）。
【００４６】
次いで、側板部２ｂ及び２ｄを、折り曲げ線２５、２６及び２７、２８にて折り曲げながら、側板部２ｂ及び２ｄを本体部１の内側へ倒す。これに伴って、側板部２ａ及び２ｃが本体部１の内側へ倒れる（図４（ｃ）参照）。側板部２ｂの折り曲げ線２５、２６を間にした外面同士が接触するまで側板部２ｂを本体部１の内側へ倒し、側板部２ｄの折り曲げ線２７、２８を間にした外面同士が接触するまで側板部２ｄを本体部１の内側へ倒した後、天側フラップ部３ｃの破断線３１、３２に従って天側フラップ部３ｃに切込みを入れ、切り込み片３０を天側フラップ部３ｃに形成する（図４（ｄ）参照）。
【００４７】
次いで、天側フラップ部３ｃを側板部２ａの外面に接触させ（図５（ｅ）参照）、切り込み片３０を側板部２ａに形成されたスリット３６に挿入する（図５（ｆ）参照）。これにより、天側フラップ部３ｃが側板部２ａに係止されるため、折り曲げ線２５、２６及び折り曲げ線２７、２８での折り曲げが元の状態に戻ることを防止することができる。
【００４８】
以上の構成の箱体においては、図３乃至図５に示す手順で折り畳みを行うことにより、地側フラップ部４ａ及び４ｃの合計程度の面積を有する略板状に折り畳むことができるため、ユーザが箱体の廃棄を行いやすいという利点がある。箱体を折り畳んだ場合に、天側フラップ部３ｃの切り込み片３０を側板部２ａのスリット３６に挿入して折り畳み状態を保持することができるため、箱体の廃棄をより行いやすい。また、地側フラップ部４ａ及び４ｃの縁部分を固定する封止テープ１２を外すことなく箱体を折り畳むことができるため、箱体の底側の固定強度を高めた場合であっても、ユーザが箱体の折り畳みが困難になることがない。
【００４９】
なお、本実施の形態においては、箱体をダンボール製としたが、これに限るものではなく、他の材料を用いた箱体であってもよい。また、組み立て後の箱体の形状を直方体としたが、これに限るものではなく、例えば立方体であってもよい。また、側板部２ｂ、２ｄの長辺の長さを短辺の長さの約２倍としたが、これに限るものではなく、長辺の長さが短辺の長さの２倍以上であればよい。また、側板部２ｂ及び２ｄに折り曲げ線２５、２６及び２７、２８を形成する構成を示したが、これに限るものではなく、側板部２ａ及び２ｃに形成してもよい。
【００５０】
また、図３乃至図５に示す折り畳み方法においては、天側フラップ部３ｂ及び３ｄを本体部１の内側へ折り畳んだが、これに限るものではなく、本体部１の外側へ折り畳み、側板部２ｂ及び２ｄの外面に接触させてもよい。また、天側フラップ部３ｃの切り込み片３０の形成を、側板部２ｂ及び２ｄを本体部１の内側へ倒した後に行ったが、これに限るものではなく、切り込み片３０の形成はいつ行ってもよい。また、天側フラップ部３ｃに切り込み片３０を１つ形成する構成を示したが、これに限るものではなく、複数の切り込み片を形成する構成としてもよい。この場合、切り込み片の数に合わせて側板部２ａに複数のスリットを形成する。また、ユーザが破断線３１、３２を切り込むことで切り込み片３０を形成する構成を示したが、これに限るものではなく、破断線３１、３２に代えて切り込みが予め形成してある構成としてもよい。
【００５１】
（変形例１）  図６は、本発明の実施の形態１の変形例１に係る箱体の構成を示す展開図である。変形例１に係る箱体には、側板部２ｂに延設された天側フラップ部３ｂ及び側板部２ｄに延設された天側フラップ部３ｄに、折り曲げ線４１、４２及び折り曲げ線４３、４４が形成されている。天側フラップ部３ｂの折り曲げ線４１及び４２は、側板部２ｂ及び天側フラップ部３ｂの境界をなす折り曲げ線２２ｂを間にして、側板部２ｂに形成された折り曲げ線２５及び２６に対称となるように形成されている。また、天側フラップ部３ｄの折り曲げ線４３及び４４は、側板部２ｄ及び天側フラップ部３ｄの境界をなす折り曲げ線２２ｄを間にして、側板部２ｄに形成された折り曲げ線２７及び２８に対称となるように形成されている。
【００５２】
天側フラップ部３ｂ及び３ｄに折り曲げ線４１、４２及び４３、４４を上述のように形成することにより、箱体を図３乃至図５に示す方法で折り畳むときに、天側フラップ部３ｂ及び３ｄを本体部１内に折り曲げて側板部２ｂ及び２ｄの内面にそれぞれ接触させた場合、側板部２ｂの折り曲げ線２５、２６及び側板部２ｄの折り曲げ線２７、２８に、天側フラップ部３ｂの折り曲げ線４１、４２及び天側フラップ部３ｄの折り曲げ線４３、４４が重なる。このため、側板部２ｂ及び天側フラップ部３ｂを折り曲げ線２５、２６に従って折り曲げ、側板部２ｄ及び天側フラップ部３ｄを折り曲げ線２７、２８に従って折り曲げ、それぞれ本体部１の内側へ倒す場合に、ユーザが折り曲げを行いやすいという利点がある。
【００５３】
なお、変形例１においては、天側フラップ部３ｂ及び３ｄに折り曲げ線４１、４２及び４３、４４を形成する構成を示したが、これに限らず、折り曲げ線に代えてミシン目を形成する構成であってもよく、また、以下に示す変形例２の構成であってもよい。
【００５４】
（変形例２）  図７は、本発明の実施の形態１の変形例２に係る箱体の構成を示す展開図である。変形例２に係る箱体には、側板部２ｂに延設された天側フラップ部３ｂに長円形の複数の長穴４５、４５…及び４６、４６…が形成されており、側板部２ｄに延設された天側フラップ部３ｄに長円形の複数の長穴４７、４７…及び４８、４８…が形成されている。
【００５５】
なお、側板部２ｂ及び天側フラップ部３ｂの境界をなす折り曲げ線２２ｂを間にして、側板部２ｂに形成された折り曲げ線２５と対称の位置に、天側フラップ部３ｂの複数の長穴４５、４５…は長手方向に一列に並べて形成されている。同様に、折り曲げ線２２ｂを間にして、折り曲げ線２６と対称の位置に、複数の長穴４６、４６…は長手方向に一列に並べて形成されている。
【００５６】
また、側板部２ｄ及び天側フラップ部３ｄの境界をなす折り曲げ線２２ｄを間にして、側板部２ｄに形成された折り曲げ線２７と対称の位置に、天側フラップ部３ｄの複数の長穴４７、４７…は長手方向に一列に並べて形成されている。同様に、折り曲げ線２２ｄを間にして、折り曲げ線２８と対称の位置に、複数の長穴４８、４８…は長手方向に一列に並べて形成されている。
【００５７】
以上の構成の箱体は、即ち、変形例１に示す箱体の折り曲げ線４１及び４２に代えて複数の長穴４５、４５…及び４６、４６…を形成し、折り曲げ線４３及び４４に代えて複数の長穴４７、４７…及び４８、４８…を形成したものである。よって、変形例２の箱体は、変形例１の箱体と同様の効果を得ることができ、側板部２ｂ及び天側フラップ部３ｂを折り曲げ線２５、２６に従って折り曲げ、側板部２ｄ及び天側フラップ部３ｄを折り曲げ線２７、２８に従って折り曲げ、それぞれ本体部１の内側へ倒す場合に、ユーザが折り曲げを行いやすいという利点がある。
【００５８】
なお、変形例２においては、天側フラップ部３ｂ及び３ｄに長円形の長穴を並べて形成する構成を示したが、これに限るものではなく、真円の穴、矩形の穴又は三角形の穴等の他の形状の穴を形成してもよい。また、図７においては各長穴を４つずつ形成した構成を図示しているが、これに限るものではなく、５つ以上又は３つ以下の長穴を形成してもよく、更には、より細かい穴が多数並べて形成されたミシン目状の穴であってもよい。
【００５９】
（変形例３）  図８は、本発明の実施の形態１の変形例３に係る箱体の構成を示す展開図である。変形例３に係る箱体には、側板部２ｂに延設された天側フラップ部３ｂの延出端側を略台形に切り欠いた切り欠き部５１が設けられ、また、側板部２ｄに延設された天側フラップ部３ｄの延出端側を略台形に切り欠いた切り欠き部５２が設けられている。
【００６０】
切り欠き部５１は、天側フラップ部３ｂの延出端の両側から、天側フラップ部３ｂの短辺との角度が約４５度となるように、折り曲げ線２２ｂから短辺の長さの１／４〜１／３程度の距離を開けた位置まで斜めに切り込み、この２つの切り込みを折り曲げ線２２ｂに略平行に結んで切り込むことで、略長方形の天側フラップ部３ｂの延出端側を略台形に切り取った部分である。切り欠き部５２は、同様に略台形に天側フラップ部３ｄを切り取った部分である。
【００６１】
以上の構成の切り欠き部５１及び５２を形成することにより、天側フラップ部３ｂ及び３ｄを本体部１の内側へ折り曲げ、側板部２ｂ及び２ｄの内面に接触させた場合、天側フラップ部３ｂ及び３ｄに形成された折り曲げ線２５、２６及び２７、２８と、天側フラップ部３ｂ及び３ｄに形成された切り欠き部５１及び５２の斜めに切り込んだ部分との位置が一致するため、折り曲げ線２５、２６及び２７、２８での側板部２ｂ及び２ｄの折り曲げに伴って折り曲げなければならない天側フラップ部３ｂ及び３ｄの折り曲げ部分が少なく、ユーザが箱体の折り畳みを行いやすいという利点がある。
【００６２】
（実施の形態２）
図９は、本発明の実施の形態２に係る箱体の構成を示す展開図である。実施の形態２に係る箱体を展開した場合、本体部６１は略長方形であり、本体部６１の短辺と略平行に形成された３つの折り曲げ線２１ａ、２１ｂ、２１ｃにより、側板部６２ａ、６２ｂ、６２ｃ、６２ｄをなす４つの面に分けられている。なお、折り曲げ線２１ａは側板部６２ａ及び６２ｂの境界をなし、折り曲げ線２１ｂは側板部６２ｂ及び６２ｃの境界をなし、折り曲げ線２１ｃは側板部６２ｃ及び６２ｄの境界をなす。また、側板部６２ａ、６２ｂ、６２ｃ、６２ｄは、折り曲げ線２１ａ、２１ｂ、２１ｃ側が短辺側の略長方形であり、側板部６２ａ及び６２ｃの長辺の長さは、側板部６２ｂ及び６２ｄの長辺の長さより長い。側板部６２ｂ及び６２ｄは、長辺の長さが短辺の長さの２倍より長い。
【００６３】
側板部６２ａ、６２ｂ、６２ｃ、６２ｄの両長辺には、それぞれ天側フラップ部６３ａ、６３ｂ、６３ｃ、６３ｄ及び地側フラップ部６４ａ、６４ｂ、６４ｃ、６４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。天側フラップ部６３ａ、６３ｂ、６３ｃ、６３ｄは、折り曲げ線２２ａ、２２ｂ、２２ｃ、２２ｄ側が長辺側の略長方形であり、地側フラップ部６４ａ、６４ｂ、６４ｃ、６４ｄは、折り曲げ線２３ａ、２３ｂ、２３ｃ、２３ｄ側が長辺側の略長方形である。また、天側フラップ部６３ａ、６３ｂ、６３ｃ、６３ｄ及び地側フラップ部６４ａ、６４ｂ、６４ｃ、６４ｄの短辺の長さは略等しく、小さい方の側板部６２ｂ及び６２ｄの長辺の長さの略半分程度である。
【００６４】
側板部６２ｂには、折り曲げ線２３ｂの両端から、折り曲げ線２３ｂと約４５度の角度をなすように、折り曲げ線２２ｂの中央側へ向けて、折り曲げ線７１及び７２が形成されている。同様に、側板部６２ｄには、折り曲げ線２３ｄの両端から、折り曲げ線２３ｄと約４５度の角度をなすように、折り曲げ線２２ｄの中央側へ向けて、折り曲げ線７３及び７４が形成されている。
【００６５】
また、天側フラップ部６３ａには、側板部６２ａとの境界をなす折り曲げ線２２ａと略平行に、且つ、折り曲げ線２２ａからの距離が側板部６２ａの短辺の長さに略等しい距離となるように、折り曲げ線７５が形成されている。同様にして、天側フラップ部６３ｂには折り曲げ線７６が形成され、天側フラップ部６３ｄには折り曲げ線７７が形成されている。図９に示す箱体では、天側フラップ部６３ａ、６３ｂ、６３ｄの短辺の長さが側板部６２ａ、６２ｂ、６２ｄの短辺の長さより長いが、天側フラップ部６３ａ、６３ｂ、６３ｄに折り曲げ線７５、７６、７７をそれぞれ形成することにより、天側フラップ部６３ａ、６３ｂ、６３ｄを本体部６１の内側へ折り曲げる場合に、折り曲げ線７５、７６、７７で天側フラップ部６３ａ、６３ｂ、６３ｄを本体部６１の底の位置で折り曲げることができるため、折り曲げが行いやすいという利点がある。
【００６６】
天側フラップ部６３ｃには、延出端側の長辺の略中央に舌片７８が延設されている。舌片７８は延出方向へ縮幅する略台形をなしている。また、側板部６２ａには、側板部６２ａの長辺に略平行な細長い略矩形のスリット７９が形成されている。スリット７９は、折り曲げ線２２ａからの距離Ｈが、以下の式より算出される距離にしてある。
距離Ｈ＝（天側フラップ部６３ｃの短辺の長さ）−（（側板部６２ｂの長辺の長さ）−２＊（側板部６２ｂの短辺の長さ））
また、スリット７９の長さは、天側フラップ部６３ｃの舌片７８の最大幅より若干大きい程度にしてある。
【００６７】
図１０は、本発明の実施の形態２に係る箱体を折り畳んだ状態を示す斜視図である。実施の形態２に係る箱体の折り畳み方法は、実施の形態１に係る箱体の折り畳み方法と同様であるため、折り畳みの各手順については図示を省略する。実施の形態２に係る箱体は、図３乃至図５に示す手順で折り畳んだ後、実施の形態１の箱体の切り込み片３０に代えて、天側フラップ部６３ｃに延設された舌片７８を側板部６２ａに形成されたスリット７９に挿入することで、箱体の折り畳み状態を維持するようにしてある。また、箱体内に被収納物を収納した後、天側フラップ部６３ａ、６３ｂ、６３ｃ、６３ｄを箱体の上蓋として利用する場合には、舌片７８が箱体内に収まるように内側へ折り曲げる。
【００６８】
以上の構成の箱体においては、箱体を折り畳んだ場合に、天側フラップ部６３ｃの舌片７８を側板部６２ａのスリット７９に挿入して折り畳み状態を保持することができるため、箱体の廃棄をより行いやすい。また、地側フラップ部６４ａ及び６４ｃの縁部分を固定する封止テープを外すことなく箱体を折り畳むことができるため、箱体の底側の固定強度を高めた場合であっても、ユーザが箱体の折り畳みが困難になることがない。
【００６９】
なお、実施の形態２においては、天側フラップ部６３ａ、６３ｂ、６３ｄに折り曲げ線７５、７６、７７をそれぞれ形成する構成を示したが、これに限るものではなく、折り曲げ線７５、７６、７７を形成しない構成であってもよい。また、側板部６２ｂ、６２ｄの長辺の長さが短辺の長さの２倍より長い構成としたが、これに限るものではなく、長辺の長さが短辺の長さの２倍であってもよい。この場合、天側フラップ部６３ａ、６３ｂ、６３ｄの折り曲げ線７５、７６、７７は形成しなくてよい。また、実施の形態１の変形例１〜３に示すように、天側フラップ部６３ｂ及び６３ｄに折り曲げ線、複数の長穴又は切り欠き部等を形成してもよい。
【００７０】
なお、実施の形態２に係る箱体のその他の構成は、実施の形態１に係る箱体の構成と同様であるため、対応する箇所には同じ符号を付して詳細な説明を省略する。
【００７１】
（実施の形態３）
図１１は、本発明の実施の形態３に係る箱体の構成を示す展開図である。実施の形態３に係る箱体を展開した場合、本体部８１は略長方形であり、本体部８１の短辺と略平行に形成された３つの折り曲げ線２１ａ、２１ｂ、２１ｃにより、側板部８２ａ、８２ｂ、８２ｃ、８２ｄをなす４つの面に分けられている。なお、折り曲げ線２１ａは側板部８２ａ及び８２ｂの境界をなし、折り曲げ線２１ｂは側板部８２ｂ及び８２ｃの境界をなし、折り曲げ線２１ｃは側板部８２ｃ及び８２ｄの境界をなす。また、側板部８２ａ、８２ｂ、８２ｃ、８２ｄは、折り曲げ線２１ａ、２１ｂ、２１ｃ側が短辺側の略長方形であり、側板部８２ａ及び８２ｃの長辺の長さは、側板部８２ｂ及び８２ｄの長辺の長さより長い。側板部８２ｂ及び８２ｄは、長辺の長さが短辺の長さの２倍より長い。
【００７２】
側板部８２ａ、８２ｂ、８２ｃ、８２ｄの両長辺には、それぞれ天側フラップ部８３ａ、８３ｂ、８３ｃ、８３ｄ及び地側フラップ部８４ａ、８４ｂ、８４ｃ、８４ｄが延設されており、境界に折り曲げ線２２ａ、２２ｂ、２２ｃ、２２ｄ及び折り曲げ線２３ａ、２３ｂ、２３ｃ、２３ｄがそれぞれ形成されている。天側フラップ部８３ａ、８３ｂ、８３ｃ、８３ｄは、折り曲げ線２２ａ、２２ｂ、２２ｃ、２２ｄ側が長辺側の略長方形であり、地側フラップ部８４ａ、８４ｂ、８４ｃ、８４ｄは、折り曲げ線２３ａ、２３ｂ、２３ｃ、２３ｄ側が長辺側の略長方形である。また、天側フラップ部８３ａ、８３ｂ、８３ｃ、８３ｄ及び地側フラップ部８４ａ、８４ｂ、８４ｃ、８４ｄの短辺の長さは略等しく、小さい方の側板部８２ｂ及び８２ｄの長辺の長さの略半分程度である。
【００７３】
側板部８２ｂには、折り曲げ線２３ｂの両端から、折り曲げ線２３ｂと約４５度の角度をなすように、折り曲げ線２２ｂの中央側へ向けて、折り曲げ線７１及び７２が形成されている。同様に、側板部８２ｄには、折り曲げ線２３ｄの両端から、折り曲げ線２３ｄと約４５度の角度をなすように、折り曲げ線２２ｄの中央側へ向けて、折り曲げ線７３及び７４が形成されている。また、天側フラップ部８３ａには、側板部８２ａとの境界をなす折り曲げ線２２ａと略平行に、且つ、折り曲げ線２２ａからの距離が側板部８２ａの短辺の長さに略等しい距離となるように、折り曲げ線７５が形成されている。同様にして、天側フラップ部８３ｂには折り曲げ線７６が形成され、天側フラップ部８３ｄには折り曲げ線７７が形成されている。
【００７４】
天側フラップ部８３ｃの両短辺には、天側フラップ部８３ｃの延出端側に、舌片８６、８６がそれぞれ延設されている。舌片８６、８６は、延出方向へ縮幅する略台形をなしており、天側フラップ部８３ｃと舌片８６、８６との境界に折り曲げ線８７、８７がそれぞれ形成されている。また、天側フラップ部８３ｃと隣り合う天側フラップ部８３ｂ及び８３ｄは、箱体を展開した場合に天側フラップ部８３ｃの舌片８６、８６と重なる部分が切り欠いた形状にしてある。これにより、１つのダンボール板を加工して箱体を製作することができる。
【００７５】
図１２は、本発明の実施の形態３に係る箱体の折り畳み状態の保持方法を示す斜視図である。実施の形態３に係る箱体の折り畳み方法は、実施の形態１に係る箱体の折り畳み方法と同様であるため、折り畳みの各手順については図示を省略する。図１２では、天側フラップ部８３ａ、８３ｂ、８３ｄを本体部８１内に折り曲げ、側板部８２ｂ及び８２ｄを折り曲げ線７１、７２及び７３、７４で折り曲げて本体部８１の内側へ倒し、これに伴って側板部８２ａ及び８２ｃを本体部８１の内側へ倒した後の状態を（ａ）に図示し、その後に箱体の折り畳みの保持を行った状態を（ｂ）に図示してある。
【００７６】
箱体の側板部８２ｂを折り曲げ線７１、７２で折り曲げて本体部８１の内側へ倒した場合、側板部８２ｂの外面同士が接触し、同様に側板部８２ｄを折り曲げ線７３、７４で折り曲げて本体部８１の内側へ倒した場合、側板部８２ｄの外面同士が接触した状態となる。またこの場合、天側フラップ部８３ｃは折り畳まれた箱体の最も上側となり、本体部８１の内側へ倒された側板部８２ａの上に重ねられる。この状態で、天側フラップ部８３ｃに延設された舌片８６、８６を折り曲げ線８７、８７にて下側へ折り曲げ、外面同士が接触する側板部８２ｂ、８２ｄの外面間にそれぞれ挿入することで、舌片８６、８６が側板部８２ｂ、８２ｄの間にそれぞれ挟まれて保持され、箱体の折り畳み状態を保つことができる。
【００７７】
以上の構成の箱体においては、天側フラップ部８３ｃの舌片８６、８６を、折り曲げ線７１、７２及び７３、７４で折り曲げられて接触する側板部８２ｂ及び８２ｄの外面間に挿入して、箱体の折り畳み状態を保持することができるため、箱体の廃棄を行いやすい。また、地側フラップ部８４ａ及び８４ｃの縁部分を固定する封止テープを外すことなく箱体を折り畳むことができるため、箱体の底側の固定強度を高めた場合であっても、ユーザが箱体の折り畳みが困難になることがない。また、箱体内に被収納物を収納した後、天側フラップ部８３ａ、８３ｂ、８３ｃ、８３ｄを箱体の上蓋として利用する場合には、舌片８６、８６が箱体内に収まるように内側へ折り曲げればよい。
【００７８】
なお、実施の形態３においては、天側フラップ８３ｃの両短辺に舌片８６、８６を延設する構成を示したが、これに限るものではなく、いずれか一方の短辺にのみ舌片８６を延設する構成としてもよい。また、実施の形態１の変形例１〜３に示すように、天側フラップ部８３ｂ及び８３ｄに折り曲げ線、複数の長穴又は切り欠き部等を形成してもよい。
【００７９】
なお、実施の形態３に係る箱体のその他の構成は、実施の形態２に係る箱体の構成と同様であるため、対応する箇所には同じ符号を付して詳細な説明を省略する。
【図面の簡単な説明】
【００８０】
【図１】本発明に係る箱体の構成を示す斜視図である。
【図２】本発明の実施の形態１に係る箱体の構成を示す展開図である。
【図３】本発明の実施の形態１に係る箱体の折り畳み方法を示す斜視図である。
【図４】本発明の実施の形態１に係る箱体の折り畳み方法を示す斜視図である。
【図５】本発明の実施の形態１に係る箱体の折り畳み方法を示す斜視図である。
【図６】本発明の実施の形態１の変形例１に係る箱体の構成を示す展開図である。
【図７】本発明の実施の形態１の変形例２に係る箱体の構成を示す展開図である。
【図８】本発明の実施の形態１の変形例３に係る箱体の構成を示す展開図である。
【図９】本発明の実施の形態２に係る箱体の構成を示す展開図である。
【図１０】本発明の実施の形態２に係る箱体を折り畳んだ状態を示す斜視図である。
【図１１】本発明の実施の形態３に係る箱体の構成を示す展開図である。
【図１２】本発明の実施の形態３に係る箱体の折り畳み状態の保持方法を示す斜視図である。
【符号の説明】
【００８１】
１  本体部
２ａ、２ｂ、２ｃ、２ｄ  側板部
３ａ、３ｂ、３ｃ、３ｄ  天側フラップ部
４ａ、４ｂ、４ｃ、４ｄ  地側フラップ部
１１、１２  封止テープ
２５、２６、２７、２８  折り曲げ線
３０  切り込み片
３６  スリット
４１、４２、４３、４４  折り曲げ線
４５、４６、４７、４８  長穴
５１、５２  切り欠き部
６１  本体部
６２ａ、６２ｂ、６２ｃ、６２ｄ  側板部
６３ａ、６３ｂ、６３ｃ、６３ｄ  天側フラップ部
６４ａ、６４ｂ、６４ｃ、６４ｄ  地側フラップ部
７１、７２、７３、７４  折り曲げ線
７８  舌片
７９  スリット
８１  本体部
８２ａ、８２ｂ、８２ｃ、８２ｄ  側板部
８３ａ、８３ｂ、８３ｃ、８３ｄ  天側フラップ部
８４ａ、８４ｂ、８４ｃ、８４ｄ  地側フラップ部
８６  舌片
【図１】
2007118958.tif 000003
【図２】
2007118958.tif 000004
【図３】
2007118958.tif 000005
【図４】
2007118958.tif 000006
【図５】
2007118958.tif 000007
【図６】
2007118958.tif 000008
【図７】
2007118958.tif 000009
【図８】
2007118958.tif 000010
【図９】
2007118958.tif 000011
【図１０】
2007118958.tif 000012
【図１１】
2007118958.tif 000013
【図１２】
2007118958.tif 000014